(57)【要約】【課題】低コストで故障などの不具合が生じる可能性が低いストロー収容ボックスを提供する。【解決手段】複数本のストローを横向きに積み上げて収容するストロー収容室３０の前面に設けたパネル３２の開口３１を閉塞する態様で軸取付具３４ａで軸３４を取り付け、内側方向には回動自在に軸支されたフラッパー３３を内設し、回動するフラッパー３３の先端３３ａとの隙間をストロー２１の外径より小さく形成した底板３５およびストローガイド板３７と、回動するフラッパー３３の先端３３ａとの隙間をストローの外径より若干大きく形成して底板３５から垂直に立ち上げた壁面３６ａにストロー２１を把持するようにして残すストロー取り出し部３６と、でストロー収容ボックス２０を構成する。【選択図】        図２
0003121060.tif 000002
【実用新案登録請求の範囲】
【請求項１】
飲料入りカップを販売するカップ式飲料自動販売機に装備し、飲料を吸飲するストローを収容して必要に応じて取り出し可能としたストロー収容ボックスであって、
複数本のストローを横向きに積み上げて収容するストロー収容室と、該ストロー収容室の前面に設けたパネルに内設され、該パネルの開口を閉塞する態様で内側方向には回動自在に軸支されたフラッパーと、から成り、
前記ストロー収容室は、前記開口下端から奥方向へと延長した底板と、該底板から垂直に立ち上げた壁面に前記ストローを把持するようにして残すストロー取り出し部と、該ストロー取り出し部の壁面から略４５度の上り傾斜面を形成するストローガイド板と、該ストローガイド板から立ち上げた後壁板と、前記横向きに積み上げて収容されるストローより所定値長い底板を形成するようにして設けた左右の両側板と、前記フラッパーの内側方向への回動を所定の角度で停止させるストッパーと、を有し、
前記底板およびストローガイド板は、前記回動するフラッパー先端との隙間を前記ストローの外径より小さく、また、前記ストロー取り出し部は回動するフラッパー先端との隙間をストローの外径より若干大きく形成し、前記フラッパーを前記ストッパーに当接させるまで回動させた際には前記収容しているストローをストローガイド板上を押し上げて、ストロー取り出し部にストロー１本を残すようにしたことを特徴とするストロー収容ボックス。
【考案の詳細な説明】
【技術分野】
【０００１】
本考案は、飲料入りカップを販売するカップ式飲料自動販売機に装備し、飲料を吸飲するストローを収容して必要に応じて取り出し可能としたストロー収容ボックスに関する。
【背景技術】
【０００２】
機内で調理した飲料入りカップを販売するカップ式飲料自動販売機では、利用者の求めに応じて飲料を吸飲するストローを取り出し可能としたストロー搬出装置が備えられているものがある。
【０００３】
具体的には、ストローを横向きに積み上げて保管する保管室と、保管室の下部に前面から下り傾斜を形成する下ガイド板と、下ガイド板の略中央から前方に突設させた押しボタンと、下ガイド板および押しボタンを前方上面に固着し、後端に切り込み部および後端寄りの部分に横長で上下に貫通したストロー１本を収容する長穴を有するスライダーと、スライダーを前面および下面で支持し、スライダーが後壁側に移動した際に長穴の下側が開口するように切り欠いた開口部を有し、保管室の後壁に取付けた底板と、スライダーの後端の切り込み部および後壁の間に装着したばねとを設けて、押しボタンの操作とばねとで下ガイド板が前後動して保管室で保管するストローをスライダーの長穴に送り込みスライダーが後壁側に移動した際に長穴に挿入されたストローが底板の開口部から搬出されるようにしたストロー搬出装置がある（例えば、特許文献１参照）。
【特許文献１】特開平１０−２４１０４１号公報
【考案の開示】
【考案が解決しようとする課題】
【０００４】
しかしながら、このような構成のストロー搬出装置は、構成部品数が多く、コスト高となり、また故障などの不具合が生じる虞がある。
【０００５】
本考案は、上記実情に鑑みて、低コストで故障などの不具合が生じる可能性が低いストロー収容ボックスを提供する。
【課題を解決するための手段】
【０００６】
上記課題に鑑み本考案は、飲料入りカップを販売するカップ式飲料自動販売機に装備し、飲料を吸飲するストローを収容して必要に応じて取り出し可能としたストロー収容ボックスであって、
複数本のストローを横向きに積み上げて収容するストロー収容室と、該ストロー収容室の前面に設けたパネルに内設され、該パネルの開口を閉塞する態様で内側方向には回動自在に軸支されたフラッパーと、から成り、
前記ストロー収容室は、前記開口下端から奥方向へと延長した底板と、該底板から垂直に立ち上げた壁面に前記ストローを把持するようにして残すストロー取り出し部と、該ストロー取り出し部の壁面から略４５度の上り傾斜面を形成するストローガイド板と、該ストローガイド板から立ち上げた後壁板と、前記横向きに積み上げて収容されるストローより所定値長い底板を形成するようにして設けた左右の両側板と、前記フラッパーの内側方向への回動を所定の角度で停止させるストッパーと、を有し、
前記底板およびストローガイド板は、前記回動するフラッパー先端との隙間を前記ストローの外径より小さく、また、前記ストロー取り出し部は回動するフラッパー先端との隙間をストローの外径より若干大きく形成し、前記フラッパーを前記ストッパーに当接させるまで回動させた際には前記収容しているストローをストローガイド板上を押し上げて、ストロー取り出し部にストロー１本を残すようにしたストロー収容ボックスを提供するものである。
【考案の効果】
【０００７】
本考案のストロー収容ボックスは、利用者が必要に応じてフラッパーを押して回動させ、ストロー収容室に収容しているストローをストローガイド板上を押し上げて、ストロー取り出し部に残した１本のストローを利用者が取り出せるようにしたので、低コストで故障などの不具合が生じる可能性が低いストロー収容ボックスを提供することが可能となる。
【考案を実施するための最良の形態】
【０００８】
以下に添付図面を参照して、本考案に係るストロー収容ボックスの実施の形態について詳細に説明する。
【０００９】
図１は、本考案の実施の形態に係るストロー収容ボックスを備えたカップ式飲料自動販売機の外観図である。
【００１０】
ここで例示するカップ式飲料自動販売機１は、硬貨の投入後に利用者の要求に応じて機内で調理したホット飲料もしくはコールド飲料入りカップを商品取出口から受け渡すもので、機内には、カップ供給装置、温水タンク、原料容器、コーヒー抽出機、製氷機、冷却水槽などを備えている。機器筐体２の前面ドア３には、利用者が商品を選択するための商品選択ボタン４および選択した商品を提供するための商品取出口１０を設け、商品選択ボタン４は、商品展示部５に展示された複数の商品見本６に対応している。また、前面ドア３には、硬貨を投入するためのコイン投入口７、投入した硬貨を返却するためのコイン返却レバー８、硬貨を返却するためのコイン返却口９が設けられ、商品取出口１０はその内底部にカップを載置するためのベンドステージが配設してある。商品取出口１０の近傍にはカップ内の飲料を吸飲するストローを収容し、必要に応じて取り出し可能としたストロー収容ボックス２０が設けられている。
【００１１】
図２は、ストロー収容ボックス２０を示し、（ａ）は正面図、（ｂ）は（ａ）の矢印Ａ−Ａ方向の側断面図である。ストロー収容ボックス２０は、飲料入りカップを販売するカップ式飲料自動販売機に装備し、飲料を吸飲するストロー２１（図３参照）を収容して必要に応じて取り出し可能としたもので、複数本のストロー２１を横向きに積み上げて収容するストロー収容室３０と、ストロー収容室３０の前面に設けたパネル３２に内設され、パネル３２の開口３１を閉塞する態様で軸３４を軸取付具３４ａで取り付け、内側方向には回動自在に軸支されたフラッパー３３と、から成る。
【００１２】
ストロー収容室３０は、パネル３２の開口３１の下端から奥方向へと延長した底板３５と、底板３５から垂直に立ち上げた壁面３６ａにストロー２１を１本把持するようにして残すストロー取り出し部３６と、ストロー取り出し部３６の壁面３６ａから略４５度の上り傾斜面を形成するストローガイド板３７と、ストローガイド板３７から立ち上げた後壁板３８と、横向きに積み上げて収容されるストロー２１より所定値長い底板３５を形成するようにして設けた左側板３９、右側板４０と、その間の前壁板４１と、フラッパー３３の内側方向への回動を所定の角度（例えば６０°）で停止させるフラッパー３３と略同じ幅のストッパー４２と、収容室カバー４３と、で構成され、底板３５およびストローガイド板３７は、回動するフラッパー３３の先端３３ａとの隙間をストロー２１の外径より小さく、また、ストロー取り出し部３６は回動するフラッパー３３の先端３３ａとの隙間をストロー２１の外径より若干大きく形成して、壁面３６ａでストロー２１を把持して残すようにしている。
【００１３】
次に、前記構成から成るストロー収容ボックス２０からのストロー２１取り出し動作を図３を参照して説明する。フラッパー３３は、自重およびストロー収容室３０に収容されているストロー２１により、常時は図３（ａ）に示すように、開口３１を閉塞している。そして、利用者がフラッパー３３を奥方向（図中、右方向）へ押すと、図３（ｂ）に示すように、底板３５と回動するフラッパー３３の先端３３ａとの隙間がストロー２１の外径より小さく形成してあるので、フラッパー３３がストロー２１を奥方向へ移動させる。さらに、フラッパー３３を奥方向へ押すと、図３（ｃ）に示すように、ストロー２１はストローガイド板３７上を押し上げられて、回動するフラッパー３３の先端３３ａとの隙間をストロー２１の外径より若干大きく形成してあるストロー取り出し部３６にストロー２１が１本残り、この状態から、さらにフラッパー３３をストッパー４２に当接させるまで回動させると、図３（ｄ）に示すように、ストローガイド板３７と回動するフラッパー３３の先端３３ａとの隙間がストロー２１の外径より小さく形成してあるので、ストロー２１をストロー取り出し部３６に１本残して他のストロー２１をフラッパー３３でストローガイド板３７上を押し上げる。
【００１４】
このストロー取り出し部３６に残ったストロー２１を利用者が取り出し、フラッパー３３を開放すると、図３（ａ）に示すように、フラッパー３３の自重およびストロー収容室３０に収容されているストロー２１によりフラッパー３３が開口３１を閉塞する。
【００１５】
このように、複数本のストロー２１を横向きに積み上げて収容するストロー収容室３０の前面に設けたパネル３２の開口３１を閉塞する態様で軸取付具３４ａで軸３４を取り付け、内側方向には回動自在に軸支されたフラッパー３３を内設し、回動するフラッパー３３の先端３３ａとの隙間をストロー２１の外径より小さく形成した底板３５およびストローガイド板３７と、回動するフラッパー３３の先端３３ａとの隙間をストローの外径より若干大きく形成して底板３５から垂直に立ち上げた壁面３６ａにストロー２１を把持するようにして残すストロー取り出し部３６と、でストロー収容ボックス２０を構成したので、利用者が必要に応じてフラッパー３３を押して回動させ、ストロー収容室３０に収容しているストロー２１をストローガイド板３７上を押し上げて、ストロー取り出し部３６に残した１本のストロー２１を利用者が取り出せるようにしたので、低コストで故障などの不具合が生じる可能性が低いストロー収容ボックス２０を提供することが可能となる。
【図面の簡単な説明】
【００１６】
【図１】本考案の実施の形態であるストロー収容ボックスを備えたカップ式飲料自動販売機を示した外観図である。
【図２】本考案の実施の形態であるストロー収容ボックスである。
【図３】図２に示したストロー収容ボックスからのストロー取り出し動作を示す概念図である。
【符号の説明】
【００１７】
１      カップ式飲料自動販売機
１０      商品取出口
２０      ストロー収容ボックス
２１      ストロー
３０      ストロー収容室
３１      開口
３２      パネル
３３      フラッパー
３３ａ    先端
３４      軸
３５      底板
３６      ストロー取り出し部
３６ａ    壁面
３７      ストローガイド板
３８      後壁板
３９      左側板
４０      右側板
４２      ストッパー
【図１】
0003121060.tif 000003
【図２】
0003121060.tif 000004
【図３】
0003121060.tif 000005